(57)【要約】【課題】受信精度を低下することなくメモリの使用量を削減することができ、効率的に同期保持動作を行う無線受信装置を提供する。【解決手段】無線受信装置は、受信データに対しサンプル単位でのパスサーチが行われるサンプル単位範囲と、チップ単位でのパスサーチが行われるチップ単位範囲とに分けてパスサーチ処理を行い、検出されたパスについてサンプル単位相関値とチップ単位相関値の少なくとも一方を算出する第１の手段と、第１の手段で検出されたパスの相関値を所定の閾値と比較して、前記閾値以上の相関値を有するパスを有効パスと判定して出力する第２の手段とを備える。【選択図】  図８
2004336340.tif 000002
【特許請求の範囲】
【請求項１】
受信データより複数の基地局の各々について求められるサンプル毎のパスサーチ結果である相関値に基づいて、有効なマルチパスタイミングを検出する無線受信装置であって、
受信データに対しサンプル単位でのパスサーチが行われるサンプル単位範囲Ｍと、チップ単位でのパスサーチが行われるチップ単位範囲Ｌとに分けてパスサーチ処理を行い、検出されたパスについてサンプル単位相関値とチップ単位相関値の少なくとも一方を算出する第１の手段と、
前記第１の手段で検出されたパスについての相関値を所定の閾値Ｋと比較して、前記閾値以上の相関値を有するパスを有効パスと判定して出力する第２の手段と
を備えることを特徴とする無線受信装置。
【請求項２】
前記第１の手段で検出されたパスが前記チップ単位範囲Ｌにおいて検出された場合、前記パスについてはチップ単位でのパスサーチが行われる状態からサンプル単位でのパスサーチが行われる状態へ移行するよう構成したことを特徴とする請求項１記載の無線受信装置。
【請求項３】
前記チップ単位範囲Ｌにおいて検出されたパスの相関値が、前記サンプル単位範囲Ｍにおいて検出された上位Ｐ本のパスの相関値より大きい場合、前記チップ単位範囲Ｌにおいて検出された前記パスを中心とした前記サンプル単位範囲Ｍでサンプル単位でのパスサーチが行われる状態に移行するよう構成したことを特徴とする請求項１記載の無線受信装置。
【請求項４】
前記チップ単位範囲Ｌにおいて検出されたパスの相関値が、前記サンプル単位範囲Ｍにおいて検出された上位Ｐ本のパスの相関値よりも小さく、前記閾値Ｋより大きい場合、前記チップ単位範囲Ｌにおいて検出された前記パスを中心とした前記サンプル単位範囲Ｍでサンプル単位でのパスサーチが行われる状態に移行するよう構成したことを特徴とする請求項３記載の無線受信装置。
【請求項５】
前記チップ単位範囲Ｌにおいてチップ単位でのパスサーチを行って検出されたパスタイミングを保存する保存手段を備えることを特徴とする請求項３記載の無線受信装置。
【発明の詳細な説明】
【０００１】
【発明の属する技術分野】
本発明は、ＣＤＭＡ受信装置に関し、特にスクランブリングコードによってスペクトラム拡散された信号を受信する際にＣＤＭＡ受信装置内で行われるパスサーチ処理（同期保持）に関するものである。
【０００２】
【従来の技術】
無線移動端末などに用いられるＣＤＭＡ通信方式では、受信データの復調開始位置を測定し、測定した開始位置を同期捕捉し続ける必要がある。
【０００３】
ここでは、すでに移動端末と基地局との間に無線通信のための接続が確立され、移動端末が前回復調したタイミング（復調開始位置）を保持しており、前回の復調開始位置から同期がずれていないかを測定するパスサーチ処理（同期保持）について説明する。
【０００４】
このパスサーチ処理は、例えば、１００ｍｓに一回行われる。最大３２の基地局を検索して、そのうち有効な基地局ごとに復調開始タイミングを検出する処理を、有効な基地局数（１乃至８）に対応する回数だけ繰り返し行う。
【０００５】
図１は、パスサーチ処理の一例を説明するためのタイミング図である。
【０００６】
図１のパスサーチ処理では、有効な基地局について１フレーム（１０ｍｓ）かけてパスサーチ処理を行い、残りの時間で他の基地局のパスサーチ処理を行う。
【０００７】
１回のパスサーチの動作について説明する。このパスサーチでは、有効なマルチパスを検出するために、前回のパスサーチタイミングを中心に窓幅と呼ばれる範囲（１６０チップ×オーバーサンプル）内にある各サンプルから、１フレーム分の共通チャネルＣＰＩＣＨ（常に（１，１）という値を出力している）を逆拡散する。それぞれの結果を電力化（Ｉ２＋Ｑ２を算出）し、１フレーム分を足し合わせて相関値を求める。
【０００８】
図２は、パスサーチ結果（相関結果）の一例を示す。
【０００９】
従来の方式では、例えば、次のようにして有効マルチパス数を算出している。
【００１０】
まず、最大の相関値（ピーク相関値）を検出し１つ目のパスとする。
【００１１】
次に、１つ目のパスの位相（サンプル位置）から３サンプル以内（４倍オーバーサンプルのため３サンプル以内は同一チップとなる）にある相関値をのぞいたものの大小比較を行い、最大の相関値を検出する。これを２つ目のパスとする。
【００１２】
次に、２つ目のパスの位相（サンプル位置）から３サンプル以内にある相関値を除いたものの大小比較を行い、３つ目のパスを検出する。このようにして８つのパスをそれぞれ検出する。
【００１３】
上記したパスサーチを最大３２基地局分繰り返し実行する。
【００１４】
なお、本発明に関連する従来の技術として、特開２００２−１６４８１７号公報、特開２００２−２１７７７７号公報、特開２００２−１１１５４８号公報には、パスサーチを利用した技術が開示されている。
【００１５】
【特許文献１】
特開２００２−１６４８１７号公報
【００１６】
【特許文献２】
特開２００２−２１７７７７号公報
【００１７】
【特許文献３】
特開２００２−１１１５４８号公報
【００１８】
【発明が解決しようとする課題】
上述した従来の方式を適用した場合、パスサーチ処理に利用されるメモリは、パスサーチの窓幅として１６０チップ×オーバーサンプルを用いるため、オーバーサンプルが多ければ多いほどメモリの使用量が多くなるという問題がある。例えば、４倍オーバーサンプルの場合、１サンプルごとに６４０（１６０×４）回のパスサーチを行い、その相関値を全てメモリに保持しておく必要がある。したがって、従来の方式で受信精度を上げるためには、メモリの使用量を増やさなければならない。
【００１９】
本発明は、上記の点に鑑みてなされたものであり、受信精度を低下することなくメモリの使用量を削減することができ、効率的に同期保持動作を行う無線受信装置を提供することを目的とする。
【００２０】
【課題を解決するための手段】
上記課題を解決するため、本発明の無線受信装置は、受信データより複数の基地局の各々について求められるサンプル毎のパスサーチ結果である相関値に基づいて、有効なマルチパスタイミングを検出する無線受信装置であって、受信データに対しサンプル単位でのパスサーチが行われるサンプル単位範囲Ｍと、チップ単位でのパスサーチが行われるチップ単位範囲Ｌとに分けてパスサーチ処理を行い、検出されたパスについてサンプル単位相関値とチップ単位相関値の少なくとも一方を算出する第１の手段と、前記第１の手段で検出されたパスについての相関値を所定の閾値Ｋと比較して、前記閾値以上の相関値を有するパスを有効パスと判定して出力する第２の手段とを備えることを特徴とする。
【００２１】
本発明の無線受信装置によれば、受信データに対するパスサーチ処理の範囲を、サンプル単位でパスサーチを行うサンプル単位範囲Ｍとチップ単位でパスサーチを行うチップ単位範囲Ｌに分割して処理することで、メモリの使用量を大幅に低減することができる。また、パスサーチの動作回数を少なくできるので、無線受信装置の消費電力を低くすることに効果がある。
【００２２】
【発明の実施の形態】
以下、本発明の実施の形態について図面を用いて説明する。
【００２３】
図３は、本発明の一実施例に係るＣＤＭＡ受信装置の構成を示す。
【００２４】
図３のＣＤＭＡ受信装置は、逆拡散器１１と、ＲＡＭ１２と、有効パス検出部１３と、比較部１４と、逆拡散器１５と、ＲＡＭ１６と、逆拡散制御部１７とから構成される。逆拡散器１１は、入力される受信データの復調開始位置を測定するため、入力受信データに対し逆拡散を行う。ＲＡＭ１２は、逆拡散器１１で検出されたパスのタイミングや相関値の情報を保持しておくメモリである。
【００２５】
図３のＣＤＭＡ受信装置において、有効パス検出部１３は、ＲＡＭ１２で保持された検出パスのタイミング情報や相関値情報に基づいて、当該検出パスの相関値と所定の閾値Ｋとを比較して、閾値Ｋ以上のパスを有効なパスであると検出する。有効パス検出部１３は、パスの相関値についての閾値Ｋを保持しておくレジスタを有する。このレジスタに保持される閾値Ｋは、ユーザが外部から入力する設定値に従って変更可能である。
【００２６】
比較部１４は、さらに有効パス検出部１３で検出されたパスについて、所定の閾値Ｉ，Ｊ，Ｐ，Ｑを用いた所定の比較演算を行って、その比較演算の結果として得られたパスのタイミングを有効なパスタイミングであると判定して、その有効なパスタイミングの情報をＲＡＭ１６へ格納する。比較部１４は、パスの相関値についての閾値Ｉ、パス本数についての閾値Ｐ，Ｑ、パスサーチ回数についての設定値（所定の期間）Ｊをそれぞれ保持しておくレジスタを有する。これらのレジスタに保持される閾値Ｉ、Ｊ、Ｐ、Ｑは、ユーザが外部から入力する設定値に従って変更可能である。
【００２７】
逆拡散器１５は、比較部１４での比較演算に用いられる相関値を算出して、その算出された相関値を比較部１４へ出力する。
【００２８】
ＲＡＭ１６へ格納された有効なパスタイミングの情報は、後段の装置及び逆拡散制御部１７へ出力される。
【００２９】
図３のＣＤＭＡ受信装置の動作については、図４と図８を用いて後述する。
【００３０】
図３のＣＤＭＡ受信装置において、逆拡散制御部１７は、入力された受信データの逆拡散を行う逆拡散部１１の動作を制御している。この逆拡散制御部１７は、チップ検出範囲Ｌとサンプル検出範囲Ｍのチップ数をカウントするカウンタ１８を有する。また、逆拡散制御部１７は、サンプル単位でのパスサーチが行われるサンプル単位範囲を指定するチップ数Ｍと、チップ単位でのパスサーチが行われるチップ単位範囲を指定するチップ数Ｌをそれぞれ保持しておくレジスタを有する。ここで、Ｎ＝（Ｍ＋Ｌ）である。これらのレジスタに保持される範囲（チップ数）Ｍ、Ｌは、ユーザが外部から入力する設定値に従って変更可能である。
【００３１】
この逆拡散制御部１７の動作については、図９を用いて後述する。
【００３２】
図３のＣＤＭＡ受信装置は、チップ単位範囲でのパスサーチとサンプル単位範囲でのパスサーチで相関値を比較するための比較器を有する。
【００３３】
図３のＣＤＭＡ受信装置は、チップ単位範囲で検出されたパスのタイミングを保持するレジスタを有する。
【００３４】
また、図３のＣＤＭＡ受信装置は、複数の基地局（例えば、３２基地局）に対応して、上記した構成要素をそれぞれ備えている。
【００３５】
図４は、本発明のＣＤＭＡ受信装置の動作を説明するための図である。
【００３６】
図３のＣＤＭＡ受信装置では、セルサーチや前回起動のパスサーチで検出された最大の相関値をもつパスを中心にＮチップ分のパスサーチ窓幅（Ｎ＝Ｍ＋Ｌ）を設定する。
【００３７】
ここで、１チップは、例えば、有効基地局のパスサーチが１０ｍｓ（１フレーム）の時間間隔で行われる場合、１０／３８４００ｍｓに相当する単位の時間間隔である。
【００３８】
その際に、パスサーチ窓幅の中央部のＭチップ分はサンプル単位範囲、残りのＬチップ分はチップ単位範囲とし、それぞれのタイミングで検出を行う。
【００３９】
上記したサンプル単位範囲、チップ単位範囲の窓幅をそれぞれ指定するチップ数であるＭ、Ｌは、外部よりユーザが入力する設定値にしたがって変更することができる。
【００４０】
以下に説明する実施例では、例えば、４倍オーバーサンプルを用いてサンプル単位でのパスサーチがサンプル単位範囲Ｍにおいて行われる。しかし、本発明の無線受信装置はこの実施例のみに限定されるものではない。
【００４１】
図３のＣＤＭＡ受信装置は、受信データに対し、サンプル単位範囲Ｍでは常にオーバーサンプル単位でのパスサーチを行うと共に、チップ単位範囲Ｌでは、チップ単位でのパスサーチとオーバーサンプル単位でのパスサーチのいずれか一方を選択して実行する。
【００４２】
図３のＣＤＭＡ受信装置では、チップ単位範囲Ｌにおいてパスが検出された場合、そのパスに対して前後３サンプル分の検波を行うことができるよう構成されている。
【００４３】
図３のＣＤＭＡ受信装置では、チップ単位範囲Ｌにおいて検出されたパスの相関値（Ｂ）が、サンプル単位範囲Ｍにおいて検出された上位Ｐ本のパスの相関値（Ａ）より大きい場合、チップ単位範囲Ｌにおいて検出された前記パスを中心とした前後３サンプル分のパスサーチを行い、その相関値も含めたパスの検出を行うことができるよう構成されている。
【００４４】
図３のＣＤＭＡ受信装置では、チップ単位範囲Ｌにおいて検出されたパスの相関値（Ｂ）が、サンプル単位範囲Ｍにおいて検出された上位Ｐ本のパスの相関値（Ａ）より小さく、所定の閾値Ｋより大きい（例えば、上位Ｐ本のパスの中の最低の相関値のＫ％以上とある）場合、チップ単位範囲Ｌにおいて検出された前記パスを中心とした前後３サンプル分のパスサーチを行い、その相関値も含めたパスの検出を行うことができるよう構成されている。
【００４５】
図３のＣＤＭＡ受信装置では、閾値Ｋは、最大パスの相関値を考慮して、外部から入力される設定値に従って変更可能であるよう構成されている。
【００４６】
図３のＣＤＭＡ受信装置では、チップ単位範囲Ｌにおいてチップ単位でのパスサーチを行って検出されたパスタイミングを保存する保存手段を備えるよう構成されている。
【００４７】
図３のＣＤＭＡ受信装置では、前記保存手段に保存されたパスタイミングに対し、次回のパスサーチ実行時に、チップ単位でのパスサーチが行われる状態からサンプル単位でのパスサーチが行われる状態に移行するよう構成されている。
【００４８】
図３のＣＤＭＡ受信装置では、サンプル単位範囲Ｍで検出された最大パスについての相関値が所定の閾値Ｉより大きく、かつ、所定の期間Ｊが経過してもチップ単位範囲Ｌで有効なパスが検出されない場合、サンプル単位範囲Ｍにおいてのみパスサーチを行う状態に移行するよう構成されている。
【００４９】
図３のＣＤＭＡ受信装置では、前記閾値Ｉと前記期間Ｊは、外部から入力される設定値に従って変更可能であるよう構成されている。
【００５０】
図８は、図３のＣＤＭＡ受信装置が実行するパスサーチ処理を説明するためのフロー図である。このパスサーチ処理は、例えば、ＣＤＭＡ受信装置のＣＰＵ（図示なし）が予め記憶してあるプログラムに従って実行する。
【００５１】
また、上述のように、図３のＣＤＭＡ受信装置は、受信データに対し、サンプル単位範囲Ｍでは常にオーバーサンプル単位でのパスサーチを行うと共に、チップ単位範囲Ｌでは、チップ単位でのパスサーチとオーバーサンプル単位でのパスサーチのいずれか一方を選択して実行する。
【００５２】
まず、図８のステップＳ８１において、受信データに対するパスサーチ領域を範囲Ｎ（＝Ｍ＋Ｌ）と設定する。また、初期設定として、チップ単位範囲Ｌでは、チップ単位でのパスサーチを行う状態に設定する。
【００５３】
ステップＳ８２において、相関値についての閾値Ｉ、パスサーチ回数についての閾値Ｊを設定する。
【００５４】
ステップＳ８３において、受信データに対し、設定された領域、刻みでパスサーチを行う。１回のパスサーチを実行する毎に、パスサーチ回数をインクリメントしていく。
【００５５】
ステップＳ８４において、最大パス相関値を考慮して、チップ単位範囲Ｌにおけるパスの相関値の閾値Ｋを設定する。ステップＳ８４が終了すると、次のステップＳ８５−Ｓ８６が実行される。
【００５６】
ステップＳ８５とＳ８６では、チップ単位範囲Ｌにおいて検出されたパスの相関値が、サンプル単位範囲Ｍにおいて検出された上位Ｐ本のパスの相関値より大きい場合、チップ単位範囲Ｌにおいて検出されたパスを中心とした前後３サンプル部（サンプル単位範囲Ｍ）でサンプル単位でのパスサーチが行われる状態に移行するよう構成している。ステップＳ８５とＳ８６の機能については、図５を用いて後述する。
【００５７】
ステップＳ８６でＮＯが返される場合、ステップＳ９４において、チップ単位範囲Ｌでの刻みについて、オーバーサンプル単位でパスサーチを行う状態に移行する。
【００５８】
ステップＳ９５において、上記ステップＳ９４の設定に基づき、チップ単位範囲Ｌで検出されたパスを中心とした前後３サンプル分（サンプル単位範囲Ｍ）のパスサーチをオーバーサンプル単位で行う。
【００５９】
ステップＳ９６において、サンプル単位範囲Ｍでは１チップ刻みでパスサーチタイミング設定をＲＡＭ１２等に保存する。チップ単位範囲Ｌではパスサーチタイミングをオーバーサンプル単位又はチップ単位で行うかの設定も保存する。これらの保存情報は、次回のパスサーチの実行時に反映される。
【００６０】
ステップＳ９７において、全ての基地局についてパスサーチが終了したか否かを判定する。ステップＳ９７の判定結果がＮＯである場合、上記ステップＳ８３へ戻ってパスサーチ処理を繰り返し実行する。ステップＳ９７の判定結果がＹＥＳである場合、図８のパスサーチ処理が終了する。
【００６１】
一方、ステップＳ８６でＹＥＳが返される場合、ステップＳ８７において、チップ単位範囲Ｌにおいて検出されたパスの相関値が、ステップＳ８４で設定した閾値Ｋより大きいか否かを判定する。
【００６２】
ステップＳ８７の判定結果がＮＯである場合、次のステップＳ８８とＳ８９へ移行する。
【００６３】
ステップＳ８８とＳ８９では、サンプル単位範囲Ｍで検出された最大パスについての相関値が所定の閾値Ｉより大きく、かつ、所定の期間Ｊが経過してもチップ単位範囲Ｌで有効なパスが検出されない場合、サンプル単位範囲Ｍにおいてのみパスサーチを行う状態に移行するよう構成している。ステップＳ８８とＳ８９の機能については、図６を用いて後述する。
【００６４】
ステップＳ８７の判定結果がＹＥＳである場合、前述のステップＳ９４へ移行する。
【００６５】
ステップＳ８９でＹＥＳが返されるとステップＳ９３へ移行し、ＮＯが返されるとステップＳ９０へ移行する。ステップＳ９０−Ｓ９３については、図７を用いて後述する。
【００６６】
図９は、図３のＣＤＭＡ受信装置における逆拡散制御部１７の構成を示す。
【００６７】
上記したように、図３のＣＤＭＡ受信装置では、逆拡散制御部１７が入力された受信データの逆拡散を行う逆拡散部１１の動作を制御している。この逆拡散制御部１７は、チップ検出範囲Ｌとサンプル検出範囲Ｍのチップ数をカウントするカウンタ１８を有する。
【００６８】
逆拡散制御部１７内のカウンタ１８は、パスサーチ開始毎（１０ｍｓ毎）に０〜６３９までオーバーサンプリングの時間間隔でカウントする。
【００６９】
逆拡散シーケンス制御部１９は、カウンタ値と外部設定値であるＮ、Ｍ、Ｌ（ｃｈｉｐｓ）に基づいて、逆拡散器１１に逆拡散開始タイミングを与えて制御する。
【００７０】
ＲＡＭ１６に有効なパスタイミング情報が保持されている場合には、ＲＡＭ１６の情報を読み込んだ上で逆拡散器１１を制御する。
【００７１】
本実施例のパスサーチ処理を図１の処理に適用すると、４倍オーバーサンプリングを用いて、例えば、次のように実行される。
【００７２】
まず、１回目のパスサーチにおいて、受信データが入力されると同時に、カウンタ１８のカウント動作が開始される。
【００７３】
カウンタ１８のカウント値が０から（Ｌ×４−１）までの時間間隔では、逆拡散シーケンス制御部１７は、０、４、８、・・・と、４カウント毎に、逆拡散器１１へ逆拡散を指令する信号を出力する。
【００７４】
カウンタ１８のカウント値がＬ×４から（（Ｌ＋Ｍ）×４−１）までの時間間隔では、逆拡散シーケンス制御部１７は、１カウント毎に逆拡散器１１へ逆拡散を指令する信号を出力する。
【００７５】
カウンタ１８のカウント値が（（Ｌ＋Ｍ）×４）から（（Ｌ＋Ｍ＋Ｌ）×４−１）までの時間間隔では、逆拡散シーケンス制御部１７は、４カウント毎に逆拡散器１１へ逆拡散を指令する信号を出力する。ここで、（（Ｌ＋Ｍ＋Ｌ）×４−１）は６３９に等しい。
【００７６】
２回目以降のパスサーチにおいて、逆拡散シーケンス制御部１７は、ＲＡＭ１６からの有効なパスタイミング情報を読み込んで、逆拡散器１１を制御する。
【００７７】
図５は、図３のＣＤＭＡ受信装置の機能を説明するためのフロー図である。図５の機能は、図８のフロー図におけるステップＳ８５に対応している。
【００７８】
図５のステップＳ５１において、サンプル単位範囲Ｍにおいて検出された上位Ｐ本のパスの各相関値を取得する。ステップＳ５２において、上位Ｐ本のパス相関値の中で最低のパス相関値を選択する。
【００７９】
ステップＳ５３において、ステップＳ５２で選択した最低のパス相関値（Ａ）が、チップ単位範囲Ｌにおいて検出されたパスの相関値（Ｂ）より大きいか否かを判定する。
【００８０】
ステップＳ５３の判定結果がＹＥＳである場合、ステップＳ５４においてＹＥＳを返す。
【００８１】
一方、ステップＳ５３の判定結果がＮＯである場合、ステップＳ５５においてＮＯを返す。
【００８２】
ステップＳ５４又はＳ５５が終了すると、図５の処理が終了し、図８のフロー図のステップＳ８６へ移行する。ステップＳ８６では、ＮＯが返されると、チップ単位範囲Ｌにおいて検出されたパスを中心とした、サンプル単位範囲Ｍでサンプル単位でのパスサーチが行われる状態に設定される（ステップＳ９４，Ｓ９５）。逆に、ＹＥＳが返されると、図８のステップＳ８７へ移行する。
【００８３】
図６は、図３のＣＤＭＡ受信装置の別の機能を説明するためのフロー図である。  図６の機能は、図８のフロー図におけるステップＳ８８に対応している。
【００８４】
図６のステップＳ６１において、サンプル単位範囲Ｍで検出された最大パスの相関値が閾値Ｉより小さいか否かを判定する。ステップＳ６１の判定結果がＮＯである場合、ステップＳ６４においてＮＯを返す。
【００８５】
一方、ステップＳ６１の判定結果がＹＥＳである場合、ステップＳ６２において、チップ単位範囲Ｌで所定の期間（Ｊ回連続して）有効パスが検出されないか否かを判定する。
【００８６】
ステップＳ６２の判定結果がＹＥＳである場合、ステップＳ６３においてＹＥＳを返す。
【００８７】
一方、ステップＳ６２の判定結果がＮＯである場合、上記ステップＳ６４へ移行してＮＯを返す。
【００８８】
ステップＳ６３又はＳ６４が終了すると、図６の処理が終了し、図８のフロー図のステップＳ８９へ移行する。ステップＳ８９では、ＹＥＳが返されるとサンプル単位範囲Ｍのみでパスサーチを行う状態に設定される（ステップＳ９３）。逆に、ＮＯが返されると、図７の処理へ移行する（ステップＳ９０）。
【００８９】
図７は、図３のＣＤＭＡ受信装置のさらに別の機能を説明するためのフロー図である。図７の機能は、図８のフロー図におけるステップＳ９０に対応している。
【００９０】
図７のステップＳ７１において、サンプル単位範囲Ｍで検出された最大パスの相関値が閾値Ｉより小さいか否かを判定する。ステップＳ７１の判定結果がＮＯである場合、ステップＳ７４においてＮＯを返す。
【００９１】
一方、ステップＳ７１の判定結果がＹＥＳである場合、ステップＳ７２において、サンプル単位範囲Ｍで検出された有効パス本数がＱ本未満であるか否かを判定する。
【００９２】
ステップＳ７２の判定結果がＹＥＳである場合、ステップＳ７３においてＹＥＳを返す。
【００９３】
一方、ステップＳ７２の判定結果がＮＯである場合、上記ステップＳ７４へ移行してＮＯを返す。
【００９４】
ステップＳ７３又はＳ７４が終了すると、図７の処理が終了し、図８のフロー図のステップＳ９１へ移行する。ステップＳ９１では、ＹＥＳが返されるとサンプル単位範囲Ｍのみでパスサーチを行う状態に設定される（ステップＳ９３）。逆に、ＮＯが返されると、サンプル単位範囲Ｍのみでパスサーチを行う状態からチップ単位範囲Ｌを含めた範囲でパスサーチを行う状態に移行する（ステップＳ９２）。
【００９５】
（付記１）
受信データより複数の基地局の各々について求められるサンプル毎のパスサーチ結果である相関値に基づいて、有効なマルチパスタイミングを検出する無線受信装置であって、受信データに対しサンプル単位でのパスサーチが行われるサンプル単位範囲Ｍと、チップ単位でのパスサーチが行われるチップ単位範囲Ｌとに分けてパスサーチ処理を行い、検出されたパスについてサンプル単位相関値とチップ単位相関値の少なくとも一方を算出する第１の手段と、前記第１の手段で検出されたパスについての相関値を所定の閾値Ｋと比較して、前記閾値以上の相関値を有するパスを有効パスと判定して出力する第２の手段とを備えることを特徴とする無線受信装置。
【００９６】
（付記２）
前記サンプル単位範囲Ｍと前記チップ単位範囲Ｌは、外部から入力される設定値に従って変更可能であることを特徴とする付記１記載の無線受信装置。
【００９７】
（付記３）
前記第１の手段で検出されたパスが前記チップ単位範囲Ｌにおいて検出された場合、前記パスについてはチップ単位でのパスサーチが行われる状態からサンプル単位でのパスサーチが行われる状態へ移行するよう構成したことを特徴とする付記１記載の無線受信装置。
【００９８】
（付記４）
前記チップ単位範囲Ｌにおいて検出されたパスの相関値が、前記サンプル単位範囲Ｍにおいて検出された上位Ｐ本のパスの相関値より大きい場合、前記チップ単位範囲Ｌにおいて検出された前記パスを中心とした前記サンプル単位範囲Ｍでサンプル単位でのパスサーチが行われる状態に移行するよう構成したことを特徴とする付記１記載の無線受信装置。
【００９９】
（付記５）
前記チップ単位範囲Ｌにおいて検出されたパスの相関値が、前記サンプル単位範囲Ｍにおいて検出された上位Ｐ本のパスの相関値よりも小さく、前記閾値Ｋより大きい場合、前記チップ単位範囲Ｌにおいて検出された前記パスを中心とした前記サンプル単位範囲Ｍでサンプル単位でのパスサーチが行われる状態に移行するよう構成したことを特徴とする付記４記載の無線受信装置。
【０１００】
（付記６）
前記閾値Ｋは、最大パス相関値を考慮して、外部から入力される設定値に従って変更可能であることを特徴とする付記１記載の無線受信装置。
【０１０１】
（付記７）
前記チップ単位範囲Ｌにおいてチップ単位でのパスサーチを行って検出されたパスタイミングを保存する保存手段を備えることを特徴とする付記４記載の無線受信装置。
【０１０２】
（付記８）
前記保存手段に保存されたパスタイミングに対し、次回のパスサーチ実行時に、チップ単位でのパスサーチが行われる状態からサンプル単位でのパスサーチが行われる状態に移行するよう構成したことを特徴とする付記７記載の無線受信装置。
【０１０３】
（付記９）
前記サンプル単位範囲Ｍで検出された最大パスについての相関値が所定の閾値Ｉより大きく、かつ、所定の期間Ｊが経過しても前記チップ単位範囲Ｌで有効なパスが検出されない場合、前記サンプル単位範囲Ｍにおいてのみパスサーチを行う状態に移行するよう構成したことを特徴とする付記５記載の無線受信装置。
【０１０４】
（付記１０）
前記閾値Ｉと前記期間Ｊは、外部から入力される設定値に従って変更可能であることを特徴とする付記９記載の無線受信装置。
【０１０５】
（付記１１）
検出された最大パスの相関値が前記閾値Ｉより小さく、かつ、検出されたパス本数がＱ本未満である場合、前記サンプル単位範囲Ｍのみでパスサーチを行う状態から前記チップ単位範囲Ｌを含めた範囲でパスサーチを行う状態に移行するよう構成したことを特徴とする付記９記載の無線受信装置。
【０１０６】
（付記１２）
前記サンプル単位範囲Ｍでのみで動作している状態で、検出された最大パスの相関値が前記閾値より小さい場合、前記サンプル単位範囲Ｍのみでパスサーチを行う状態から前記チップ単位範囲Ｌを含めた範囲でパスサーチを行う状態に移行するよう構成したことを特徴とする付記９記載の無線受信装置。
【０１０７】
（付記１３）
前記サンプル単位範囲Ｍにおいてのみパスサーチしている状態で、検出されたパス本数がＱ本未満である場合、前記サンプル単位範囲Ｍのみでパスサーチを行う状態から前記チップ単位範囲Ｌを含めた範囲でパスサーチを行う状態に移行するよう構成したことを特徴とする付記９記載の無線受信装置。
【０１０８】
【発明の効果】
以上説明したように、本発明の無線受信装置によれば、受信データに対するパスサーチ処理の範囲を、サンプル単位でパスサーチを行うサンプル単位範囲Ｍとチップ単位でパスサーチを行うチップ単位範囲Ｌに分割して処理することで、メモリの使用量を大幅に低減することができる。また、パスサーチの動作回数を少なくできるので、無線受信装置の消費電力を低くすることに効果がある。
【０１０９】
【図面の簡単な説明】
【図１】パスサーチ処理を説明するためのタイミング図である。
【図２】パスサーチ結果の一例を示す図である。
【図３】本発明の一実施例に係るＣＤＭＡ受信装置の構成を示すブロック図である。
【図４】本発明のＣＤＭＡ受信装置の動作を説明するための図である。
【図５】図３のＣＤＭＡ受信装置の機能を説明するためのフロー図である。
【図６】図３のＣＤＭＡ受信装置の別の機能を説明するためのフロー図である。
【図７】図３のＣＤＭＡ受信装置のさらに別の機能を説明するためのフロー図である。
【図８】図３のＣＤＭＡ受信装置が実行するパスサーチ処理を説明するためのフロー図である。
【図９】図３のＣＤＭＡ受信装置における逆拡散制御部の構成を示す図である。
【符号の説明】
１１  逆拡散器
１２  ＲＡＭ
１３  有効パス検出部
１４  比較部
１５  逆拡散器
１６  ＲＡＭ
１７  逆拡散制御部
１８  カウンタ
１９  逆拡散シーケンス制御部
【図１】
2004336340.tif 000003
【図２】
2004336340.tif 000004
【図３】
2004336340.tif 000005
【図４】
2004336340.tif 000006
【図５】
2004336340.tif 000007
【図６】
2004336340.tif 000008
【図７】
2004336340.tif 000009
【図８】
2004336340.tif 000010
【図９】
2004336340.tif 000011